(57)【要約】【課題】窓枠に沿って設けられるシール材による止水性を向上できる建具を提供すること。【解決手段】固定窓１は、窓枠２と、窓枠２内に配置されるパネル３とを備える。窓枠２は、上枠、下枠、左右の縦枠４０，５０および方立６０を備える。上枠、下枠および左右の縦枠４０，５０は、窓枠２の見込み方向において固定窓１の室外面よりも室内側に後退した位置であって窓枠２の外周側に配置される室外見付け片部４１をそれぞれ有する。方立６０は、上枠、下枠および左右の縦枠４０，５０の室外見付け片部４１と面一となる位置に配置される室外見付け片部７６１を有する。上枠、下枠および左右の縦枠４０，５０の室外見付け片部４１に沿ってシール材５が設けられる。【選択図】図３
2017193834.tif 000002
【特許請求の範囲】
【請求項１】
窓枠と、前記窓枠内に配置されるパネルとを備える建具であって、
前記窓枠は、上枠、下枠および左右の縦枠と、前記上枠、前記下枠および前記左右の縦枠によって形成される枠内に配置される方立および無目のうちの少なくとも一方の枠材とを備え、
前記枠材の見付け方向両側に形成される開口には前記パネルがそれぞれ配置され、
前記上枠、前記下枠および前記左右の縦枠は、前記窓枠の見込み方向において前記建具の室外面よりも室内側に後退した位置であって前記窓枠の外周側に配置される室外見付け片部をそれぞれ有し、
前記枠材は、前記上枠、前記下枠および前記左右の縦枠の室外見付け片部と面一となる位置に配置される室外見付け片部を有し、
前記上枠、前記下枠および前記左右の縦枠の室外見付け片部に沿ってシール材が設けられる
ことを特徴とする建具。
【請求項２】
請求項１に記載の建具において、
前記パネルは、前記上枠、前記下枠、前記左右の縦枠および前記枠材に固定され、
前記上枠、前記下枠、前記左右の縦枠および前記枠材は、前記パネルの室外面に対向して配置される対向片部を有し、
前記上枠、前記下枠、前記左右の縦枠および前記枠材の室外見付け片部は、前記窓枠の見込み方向において前記対向片部よりも室内側に後退した位置に配置される
ことを特徴とする建具。
【請求項３】
請求項２に記載の建具において、
前記上枠、前記下枠、前記左右の縦枠および前記枠材の対向片部は互いに同じ見付け寸法とされる
ことを特徴とする建具。
【請求項４】
請求項１に記載の建具において、
前記パネルは、上框、下框、左右の縦框および面材を框組みして構成されているとともに、前記窓枠に開閉可能に取り付けられ、
前記上枠、前記下枠、前記左右の縦枠および前記枠材の室外見付け片部は、前記窓枠の見込み方向において前記上框、前記下框および前記左右の縦框の室外面よりも室内側に後退した位置に配置される
ことを特徴とする建具。
【請求項５】
請求項４に記載の建具において、
前記上框、前記下框および前記左右の縦框の室外見付け寸法は互いに同じ寸法とされる
ことを特徴とする建具。
【発明の詳細な説明】
【技術分野】
【０００１】
本発明は、建物の外壁に設置される固定連窓や可動連窓などの窓枠の室外面にシール材が設けられる建具に関する。
【背景技術】
【０００２】
従来、建具として、嵌め殺しサッシと可動サッシとが左右に配置された連窓が知られている（特許文献１参照）。嵌め殺しサッシは、窓枠と、窓枠内に嵌め込まれたガラス面材とを備えている。嵌め殺しサッシの窓枠は、上枠、下枠および左右の縦枠を枠組みした構成であり、上枠、下枠および左右の縦枠によってガラス面材の四周が保持されている。可動サッシは、窓枠と、窓枠内に開閉自在に建て付けられた障子とを備えた縦辷り出し窓として構成されている。可動サッシの窓枠は、上枠、下枠および左右の縦枠を枠組みした構成であり、上枠および下枠に取り付けられた辷り出しアーム、可動器具を介して障子が開閉自在に軸支されている。嵌め殺しサッシおよび可動サッシの隣り合う縦枠同士は連結部材によって接続されている。
【０００３】
特許文献１の図７〜９に示されるように連窓がＲＣ（ｒｅｉｎｆｏｒｃｅｄ  ｃｏｎｃｒｅｔｅ）造りの建物に設置される場合、嵌め殺しサッシおよび可動サッシの窓枠には、嵌め殺しサッシのガラス面材および可動サッシの障子の室外面に沿ってシール材が設けられ、このシール材によって建物の外壁と連窓との間を止水する。
【先行技術文献】
【特許文献】
【０００４】
【特許文献１】特許第３９５５５４２号公報
【発明の概要】
【発明が解決しようとする課題】
【０００５】
ところで、特許文献１に記載の連窓では、嵌め殺しサッシおよび可動サッシの隣り合う縦枠同士を接続する連結部材が嵌め殺しサッシのガラス面材および可動サッシの障子の室外面よりも室内側に後退して配置されている。このように、ガラス面材や障子の室外面よりも室内側に後退して配置される連結部材などの後退部分を設けることで、建物の外壁の目地に沿った外観意匠を形成することがある。
しかし、ガラス面材および障子の室外面に沿って設けられたシール材と前述した後退部分との間に隙間が形成されて漏水の原因となるおそれがある。
【０００６】
本発明の目的は、窓枠に沿って設けられるシール材による止水性を向上できる建具を提供することにある。
【課題を解決するための手段】
【０００７】
本発明の建具は、窓枠と、前記窓枠内に配置されるパネルとを備える建具であって、前記窓枠は、上枠、下枠および左右の縦枠と、前記上枠、前記下枠および前記左右の縦枠によって形成される枠内に配置される方立および無目のうちの少なくとも一方の枠材とを備え、前記枠材の見付け方向両側に形成される開口には前記パネルがそれぞれ配置され、前記上枠、前記下枠および前記左右の縦枠は、前記窓枠の見込み方向において前記建具の室外面よりも室内側に後退した位置であって前記窓枠の外周側に配置される室外見付け片部をそれぞれ有し、前記枠材は、前記上枠、前記下枠および前記左右の縦枠の室外見付け片部と面一となる位置に配置される室外見付け片部を有し、前記上枠、前記下枠および前記左右の縦枠の室外見付け片部に沿ってシール材が設けられることを特徴とする。
【０００８】
本発明の建具によれば、建具の室外面よりも室内側に後退した位置にある窓枠の外周側に位置する室外見付け片部に沿ってシール材を設けて、建物の外壁と建具との間を止水することで、建具の室外面よりも室内側に後退して位置する後退部分とシール材との間に隙間が形成されることをも抑制できる。つまり、上枠、下枠および左右の縦枠の室外見付け片部に沿ってシール材を設けることで、これらの室外見付け片部と面一に配置される枠材の室外見付け片部とシール材との間に隙間が形成されることを抑制できる。このように、前述したシール材による止水ラインを建具の室外面よりも室内側に後退した位置にセットバックすることで止水性を向上できる。
なお、前述した建具の室外面は、建具のうち最も室外側に位置する部分を通る仮想上の室外面を意味することとする。
【０００９】
本発明の建具では、前記パネルは、前記上枠、前記下枠、前記左右の縦枠および前記枠材に固定され、前記上枠、前記下枠、前記左右の縦枠および前記枠材は、前記パネルの室外面に対向して配置される対向片部を有し、前記上枠、前記下枠、前記左右の縦枠および前記枠材の室外見付け片部は、前記窓枠の見込み方向において前記対向片部よりも室内側に後退した位置に配置されることが好ましい。
このような構成によれば、上枠、下枠、左右の縦枠および枠材にパネルが嵌め殺しされる固定窓を構成できる。そのうえ、上枠、下枠および左右の縦枠のうち対向片部よりも室内側に後退した位置に配置される室外見付け片部に沿ってシール材を設けることで、建具のうち対向片部よりも室内側に後退して位置する後退部分とシール材との間に隙間が形成されることを抑制でき、止水性を向上できる。
【００１０】
本発明の建具では、前記上枠、前記下枠、前記左右の縦枠および前記枠材の対向片部は互いに同じ見付け寸法とされることが好ましい。
このような構成によれば、上枠、下枠、左右の縦枠および枠材の対向片部の室外見付け寸法を揃えて外観意匠を統一できる。
【００１１】
本発明の建具では、前記パネルは、上框、下框、左右の縦框および面材を框組みして構成されているとともに、前記窓枠に開閉可能に取り付けられ、前記上枠、前記下枠、前記左右の縦枠および前記枠材の室外見付け片部は、前記窓枠の見込み方向において前記上框、前記下框および前記左右の縦框の室外面よりも室内側に後退した位置に配置されることが好ましい。
このような構成によれば、パネルを上框、下框、左右の縦框および面材を框組みして構成することで障子を構成し、パネルが窓枠に開閉可能に取り付けられることで可動窓を構成できる。そのうえ、上框、下框および左右の縦框の室外面よりも室内側に後退した位置に配置される上枠、下枠および左右の縦枠の室外見付け片部に沿ってシール材を設けることで、上框、下框および左右の縦框の室外面よりも室内側に後退して位置する後退部分とシール材との間に隙間が形成されることを抑制でき、止水性を向上できる。
【００１２】
本発明の建具では、前記上框、前記下框および前記左右の縦框の室外見付け寸法は互いに同じ寸法とされることが好ましい。
このような構成によれば、上框、下框および左右の縦框の室外見付け寸法を揃えて外観意匠を統一できる。
【発明の効果】
【００１３】
本発明によれば、窓枠に沿って設けられるシール材による止水性を向上できる建具を提供できる。
【図面の簡単な説明】
【００１４】
【図１】本発明の第１実施形態に係る固定窓を示す外観姿図。
【図２】前記第１実施形態に係る固定窓を示す縦断面図。
【図３】図２に示すＩＩＩ−ＩＩＩ線に沿った横断面図。
【図４】図２に示すＩＶ−ＩＶ線に沿った横断面図。
【図５】本発明の第２実施形態に係る可動窓を示す縦断面図。
【図６】図５に示すＶＩ−ＶＩ線に沿った横断面図。
【図７】図５に示すＶＩＩ−ＶＩＩ線に沿った横断面図。
【発明を実施するための形態】
【００１５】
［第１実施形態の構成］
以下、本発明の第１実施形態を図面に基づいて説明する。
図１〜４において、第１実施形態に係る建具である固定窓１は、ＲＣ（ｒｅｉｎｆｏｒｃｅｄ  ｃｏｎｃｒｅｔｅ）造りの建物の外壁のうち当該外壁の室外面よりも室内側に後退した位置に取り付けられている。固定窓１は、窓枠２と、窓枠２内に配置された四つのパネル３（３Ａ〜３Ｄ）とを備えている。
窓枠２は、アルミ製の押出形材によって形成された上枠１０、下枠２０、無目３０、左右の縦枠４０，５０および方立６０を枠組みして構成されている。無目３０および方立６０は、上枠１０、下枠２０および左右の縦枠４０，５０によって形成される枠内に配置される枠材である。
【００１６】
パネル３は、本実施形態では複層のガラスパネルによって構成されている。図１において方立６０よりも左側における窓枠２の開口にはパネル３Ａ，３Ｃが配置されている。図１において方立６０よりも右側における窓枠２の開口にはパネル３Ｃ，３Ｄが配置されている。パネル３Ａは、上枠１０、無目３０、方立６０および図１において左側に示す縦枠４０に固定されている。パネル３Ｂは、上枠１０、無目３０、方立６０および図１において右側に示す縦枠５０に固定されている。パネル３Ｃは、下枠２０、無目３０、方立６０および縦枠４０に固定されている。パネル３Ｄは、下枠２０、無目３０、方立６０および縦枠５０に固定されている。
【００１７】
上枠１０は、図２に示すように、室外見付け片部１１と、見込み片部１２，１３と、室内見付け片部１４と、パネル保持用の溝形成部１５とを有している。見込み片部１２は、見込み片部１３よりも下方に位置している。室外見付け片部１１は見込み片部１２，１３の室外端部に連続しており、見込み片部１２，１３の室内端部は室内見付け片部１４に連続している。室外見付け片部１１の下端部および見込み片部１２の室外端部には、溝形成部１５が連続している。
なお、室外見付け片部１１および室内見付け片部１４の上端部には、上枠１０を建物の外壁に取り付けるアンカー部材が係合する。
【００１８】
溝形成部１５は、溝底片部１５１と、溝底片部１５１の室外端部に連続している室外対向片部１５２（対向片部）と、溝底片部１５１の室内端部に連続している室内対向片部１５３とを有している。溝底片部１５１は室外見付け片部１１の下端部に連続しており、室内対向片部１５３は見込み片部１２の室外端部に連続している。
溝底片部１５１は、上枠１０の見込み方向に沿って配置されている。室外対向片部１５２および室内対向片部１５３は、上枠１０の見付け方向に沿って配置されている。
室外対向片部１５２は、パネル３（３Ａ，３Ｂ）の上縁部における室外面に対向して配置されている。室外対向片部１５２には、パネル３の室外面に当接するバックアップ材およびシール材が設けられている。室内対向片部１５３は、パネル３（３Ａ，３Ｂ）の上縁部における室内面に対向して配置されている。室内対向片部１５３には、パネル３の室内面に当接するバックアップ材およびシール材が設けられている。
【００１９】
溝底片部１５１の室外端部は、上枠１０の見込み方向において室外見付け片部１１よりも室外側に位置している。このため、室外見付け片部１１は、上枠１０の見込み方向において溝底片部１５１の室外端部に連続している室外対向片部１５２よりも室内側に後退した位置に配置（セットバック）されている。
ここで、室外対向片部１５２の室外面から室外見付け片部１１の室外面までの見込み寸法は、見込み寸法Ｈ１とする。
【００２０】
下枠２０は、図２に示すように、室外見付け片部２１と、見込み片部２２，２３と、室内見付け片部２４とを有している。室外見付け片部２１および室内見付け片部２４は見込み片部２２，２３に連続している。見込み片部２２は、見込み片部２３よりも上方に位置している。見込み片部２２，２３間には、室外見付け片部２１と室内見付け片部とに連続する連続片部２５が形成されている。
なお、室外見付け片部２１および室内見付け片部２４の下端部には、下枠２０を建物の外壁に取り付けるアンカー部材が係合する。
【００２１】
見込み片部２２の室外側部分には、上方に立ち上げられた二つの突部によって係合溝形成部２６が形成されている。この係合溝形成部２６には押縁６が係合しており、この係合溝形成部２６および押縁６によってパネル（３Ｃ，３Ｄ）の室外面に対向して位置する室外対向片部２７（対向片部）が構成されている。押縁６は、パネル３（３Ｃ，３Ｄ）の下縁部における室外面に対向して配置されており、パネル３の室外面に当接するバックアップ材およびシール材が設けられている。
【００２２】
見込み片部２２の室内側部分は上方に立ち上げられて室内見付け片部２４に連続しており、この立ち上げられた室内側部分には、下枠２０の見込み方向において室外側に延出した室内対向片部２８が形成されている。室内対向片部２８の室外端部は、パネル３（３Ｃ，３Ｄ）の下縁部における室内面に対向して配置されており、パネル３の室内面に当接するバックアップ材およびシール材が設けられている。
前述した見込み片部２２、室外対向片部２７および室内対向片部２８によってパネル保持用の溝形成部が形成されている。
【００２３】
室外見付け片部２１は、下枠２０の見込み方向において室外対向片部２７よりも室内側に後退した位置に配置（セットバック）されている。室外対向片部２７の室外面から室外見付け片部２１の室外面までの見込み寸法は前述した見込み寸法Ｈ１とされている。
下枠２０の室外見付け片部２１には、幅木カバー７が取り付けられている。幅木カバー７の室外面は、室外見付け片部２１から見込み寸法Ｈ１だけ室外側に張り出して位置しており、室外対向片部２７の室外面と面一となっている。なお、固定窓１では、幅木カバー７の両小口は縦枠４０，５０によって塞がれる。
【００２４】
無目３０は、図２に示すように、室外見付け片部３１と、見込み片部３２，３３と、室内見付け片部３４と、パネル保持用の溝形成部３５とを有している。
室外見付け片部３１は見込み片部３２および溝形成部３５に連続しており、見込み片部３２，３３は室内見付け片部３４に連続している。見込み片部３２は、見込み片部３３よりも上方に位置している。
室外見付け片部３１は、無目３０の見込み方向において室外対向片部３７，３５２よりも室内側に後退した位置に配置（セットバック）されている。室外対向片部３７，３５２の室外面から室外見付け片部３１の室外面までの見込み寸法は前述した見込み寸法Ｈ１とされている。
【００２５】
見込み片部３２の室外側部分には、上方に立ち上げられた二つの突部によって係合溝形成部３６が形成されている。この係合溝形成部３６には押縁６が係合しており、この係合溝形成部３６および押縁６によってパネル（３Ａ，３Ｂ）の室外面に対向して位置する室外対向片部３７（対向片部）を構成している。押縁６は、パネル３（３Ａ，３Ｂ）の下縁部における室外面に対向して配置されている。押縁６には、パネル３の室外面に当接するバックアップ材およびシール材が設けられている。
見込み片部３２の室内側部分は上方に立ち上げられて室内見付け片部３４に連続しており、この立ち上げられた室内側部分には、無目３０の見込み方向において室外側に延出した室内対向片部３８が形成されている。室内対向片部３８の室外端部は、パネル３（３Ａ，３Ｂ）の下縁部における室内面に対向して配置されている。室内対向片部３８には、パネル３の室内面に当接するバックアップ材およびシール材が設けられている。
前述した見込み片部３２、室外対向片部３７および室内対向片部３８によってパネル保持用の溝形成部が形成されている。
【００２６】
溝形成部３５は、溝底片部３５１と、溝底片部３５１の室外端部に連続している室外対向片部３５２（対向片部）と、溝底片部３５１の室内端部に連続している室内対向片部３５３とを有している。溝底片部３５１は室外見付け片部３１の下端部に連続しており、室内対向片部３５３は見込み片部３３の室外端部に連続している。
溝底片部３５１は、無目３０の見込み方向に沿って配置されている。室外対向片部３５２および室内対向片部３５３は、無目３０の見付け方向に沿って配置されている。
室外対向片部３５２は、パネル３（３Ｃ，３Ｄ）の上縁部における室外面に対向して配置されている。室外対向片部３５２には、パネル３の室外面に当接するバックアップ材およびシール材が設けられている。室内対向片部３５３は、パネル３（３Ｃ，３Ｄ）の上縁部における室内面に対向して配置されている。室内対向片部３５３には、パネル３の室内面に当接するバックアップ材およびシール材が設けられている。
【００２７】
室外見付け片部３１は、無目３０の見込み方向において見込み片部３２の室外端部および室外対向片部３５２よりも室内側に位置している。
【００２８】
縦枠４０は、図３，４に示すように、室外見付け片部４１と、見込み片部４２と、室内見付け片部４３とを有している。室外見付け片部４１は見込み片部４２に連続しており、見込み片部４２は室内見付け片部４３に連続している。
【００２９】
見込み片部４２の室外側部分には、縦枠４０の見付け方向においてパネル３（３Ａ，３Ｃ）側に突出した二つの突部によって係合溝形成部４６が形成されている。この係合溝形成部４６には押縁６が係合しており、この係合溝形成部４６および押縁６によってパネル３（３Ａ、３Ｃ）の室外面に対向して位置する室外対向片部４７（対向片部）を構成している。押縁６は、パネル３（３Ａ、３Ｃ）の縦縁部における室外面に対向して配置されている。押縁６には、パネル３の室外面に当接するバックアップ材およびシール材が設けられている。
【００３０】
見込み片部４２の室内側部分には、対向部４８が形成されている。対向部４８は、断面略コ字形状に形成されており、パネル３（３Ａ，３Ｃ）の室内面側の室内対向片部４８１には、パネル３（３Ａ，３Ｃ）の縦縁部における室内面に当接するバックアップ材およびシール材が設けられている。
【００３１】
室外見付け片部４１は、縦枠４０の見込み方向において室外対向片部４７よりも室内側に後退した位置に配置（セットバック）されている。室外対向片部４７の室外面から室外見付け片部４１の室外面までの見込み寸法は前述した見込み寸法Ｈ１とされている。
【００３２】
縦枠５０は、図３，４に示すように、前述した縦枠４０と同様に形成されて左右逆向きに配置されているので、図に適宜同符号を付す。なお、縦枠５０は、パネル３（３Ｂ，３Ｄ）の縦縁部を保持している。
【００３３】
方立６０は、図３，４に示すように、第一方立部材７０および第二方立部材８０が組み合わされた分割方立によって構成されている。
第一方立部材７０は、見込み片部７１と、方立６０の見付け方向において見込み片部７１の室外側部分からパネル３Ｂ，３Ｄ側に突出した二つの突部によって形成される係合溝形成部７２と、見込み片部７１に連続している室内見付け片部７３とを有している。室内見付け片部７３は、方立６０の見付け方向において第二方立部材８０側に突出している。
【００３４】
見込み片部７１には、パネル３Ｂ，３Ｄの室内面と対向して配置される対向部７４が形成されている。対向部７４は、断面略コ字形状に形成されており、パネル３Ｂ，３Ｄの室内面側の室内対向片部７４１には、パネル３Ｂ，３Ｄに当接するバックアップ材およびシール材が設けられている。
【００３５】
係合溝形成部７２には、押縁６が係合しており、この係合溝形成部７２および押縁６によってパネル３Ｂ，３Ｄの室外面に対向して位置する室外対向片部７５（対向片部）を構成している。押縁６は、パネル３Ｂ，３Ｄの縦縁部における室外面に対向して配置されている。押縁６には、パネル３Ｂ，３Ｄの室外面に当接するバックアップ材およびシール材が設けられている。
【００３６】
また、見込み片部７１には、方立６０の見付け方向において第二方立部材８０側に突出した係合部７６，７７，７８Ａ，７８Ｂが形成されており、室外側から室内側に向かって係合部７６，７７，７８Ａ，７８Ｂの順に配置されている。係合部７６は、先端が第二方立部材８０に当接する室外見付け片部７６１を有している。係合部７７は取付ねじによって隣接する第二方立部材８０に取り付けられる。
【００３７】
第二方立部材８０は、見込み片部８１と、方立６０の見付け方向において見込み片部８１の室外側部分からパネル３Ａ，３Ｃ側に突出した二つの突部によって形成される係合溝形成部８２とを有している。
【００３８】
見込み片部８１には、パネル３Ｂ，３Ｄの室内面と対向して配置される対向部８４が形成されている。対向部８４は、断面略コ字形状に形成されており、パネル３Ａ，３Ｃの室内面側の室内対向片部８４１には、パネル３Ｂ，３Ｄに当接するバックアップ材およびシール材が設けられている。
【００３９】
係合溝形成部８２には、押縁６が係合しており、この係合溝形成部８２および押縁６によってパネル３Ｂ，３Ｄの室外面に対向して位置する室外対向片部８５（対向片部）を構成している。押縁６は、パネル３Ａ，３Ｃの縦縁部における室外面に対向して配置されている。押縁６には、パネル３Ａ，３Ｃの室外面に当接するバックアップ材およびシール材が設けられている。
【００４０】
また、見込み片部８１には、方立６０の見付け方向において第一方立部材７０側に突出した係合部８６，８７，８８Ａ，８８Ｂが形成されており、室外側から室内側に向かって係合部８６，８７，８８Ａ，８８Ｂの順に配置されている。係合部８６，８７，８８Ａ，８８Ｂは、隣接する第一方立部材７０の係合部７６，７７，７８Ａ，７８Ｂにそれぞれ係合する。
【００４１】
第一方立部材７０の室外見付け片部７６１は、方立６０の見込み方向において室外対向片部７５，８５よりも室内側に後退した位置に配置（セットバック）されている。室外対向片部７５，８５の室外面から室外見付け片部７６１の室外面までの見込み寸法は前述した見込み寸法Ｈ１とされている。
【００４２】
上枠１０、下枠２０および縦枠４０，５０の室外見付け片部１１，２１，４１は、窓枠２の外周側に配置されている。上枠１０の室外見付け片部１１は、溝底片部１５１から上方に突出し、室外対向片部１５２よりも上枠１０の見付け方向外側（上側）に位置している。下枠２０の室外見付け片部２１は、見込み片部２２から下方に突出し、室外対向片部２７よりも下枠２０の見付け方向外側（下側）に位置している。縦枠４０の室外見付け片部４１は、図３において見込み片部４２から右側に突出し、室外対向片部４７よりも縦枠４０の見付け方向外側（右側）に位置している。縦枠５０の室外見付け片部４１は、図３において見込み片部４２から左側に突出し、室外対向片部４７よりも縦枠５０の見付け方向外側（左側）に位置している。
上枠１０、下枠２０、無目３０、縦枠４０，５０および方立６０の室外対向片部１５２，２７，３５２，３７，４７，７５，８５は、それぞれ互いに面一となる見込み位置に配置されており、固定窓１において最も室外側に位置する仮想上の室外面を構成している。
上枠１０、下枠２０、無目３０、縦枠４０，５０および方立６０の室外見付け片部１１，２１，３１，４１，７６１は、前述した室外対向片部１５２，２７，３５２，３７，４７，７５，８５よりも見込み寸法Ｈ１だけ室内側に後退した位置に配置されている。このため、室外見付け片部１１，２１，３１，４１，７６１は、それぞれ互いに面一となる見込み位置に配置されている。
【００４３】
上枠１０、下枠２０、無目３０、縦枠４０，５０および方立６０の室外対向片部１５２，２７，３５２，３７，４７，７５，８５は互いに同じ見付け寸法とされている。
また、上枠１０の室外対向片部１５２および室外見付け片部１１によって構成される室外見付け部の見付け寸法と、無目３０の室外見付け片部３１および室外対向片部３７，３５２によって構成される室外見付け部の見付け寸法と、縦枠４０，５０の室外対向片部４７および室外見付け片部４１によって構成される室外見付け部の見付け寸法と、方立６０の室外対向片部７５，８５および室外見付け片部７６１によって構成される室外見付け部の見付け寸法とは、それぞれ互いに同じ寸法とされる。
【００４４】
以上の固定窓１では、上枠１０、下枠２０および縦枠４０，５０の室外見付け片部１１，２１，４１に沿ってシール材５が四周連続して設けられる。このため、シール材５は、室外見付け片部１１，２１，４１よりも室外側に張り出した部分である各室外対向片部１５２，２７，４７の周囲にセットバックされて位置するので、固定窓１の室外面よりも室内側にセットバックされた方立６０の室外見付け片部７６１などの後退部分とシール材５との間に隙間が形成されることや、固定窓１の室外面よりも室内側にセットバックされた無目３０の室外見付け片部３１などの後退部分とシール材５との間に隙間が形成されることをなくせる。
【００４５】
［第１実施形態の効果］
（１）第１実施形態では、固定窓１は、窓枠２と、窓枠２内に配置されるパネル３とを備え、窓枠２は、上枠１０、下枠２０および左右の縦枠４０，５０と、上枠１０、下枠２０および左右の縦枠４０，５０によって形成される枠内に配置される無目３０および方立６０とを備え、無目３０および方立６０の見付け方向両側に形成される開口にはパネル３（３Ａ〜３Ｄ）がそれぞれ配置され、上枠１０、下枠２０および左右の縦枠４０，５０は、窓枠２の見込み方向において固定窓１の室外面（室外対向片部１５２，２７，４７の室外面に沿った仮想面）よりも室内側に後退した位置であって窓枠２の外周側に配置される室外見付け片部１１，２１，４１をそれぞれ有し、無目３０および方立６０は、上枠１０、下枠２０および左右の縦枠４０，５０の室外見付け片部１１，２１，４１と面一となる位置に配置される室外見付け片部３１，７６１を有し、上枠１０、下枠２０および左右の縦枠４０，５０の室外見付け片部１１，２１，４１に沿ってシール材５が設けられることを特徴とする。
上述の構成を有するため、固定窓１の室外面よりも室内側に後退した位置にある窓枠２の外周側に位置する室外見付け片部１１，２１，４１に沿ってシール材５を設けて、建物の外壁と固定窓１との間を止水することで、固定窓１の室外面よりも室内側に後退して位置する後退部分とシール材５との間に隙間が形成されることをも抑制できる。つまり、上枠１０、下枠２０および左右の縦枠４０，５０の室外見付け片部１１，２１，４１に沿ってシール材５を設けることで、これらの室外見付け片部１１，２１，４１と面一に配置される方立６０の室外見付け片部７６１とシール材５との間に隙間が形成されることを抑制でき、これらの室外見付け片部１１，２１，４１と面一に配置される無目３０の室外見付け片部３１とシール材５との間に隙間が形成されることを抑制できる。このように、シール材５による止水ラインを建具の室外面よりも室内側に後退した位置にセットバックすることで止水性を向上できる。
さらに、本実施形態では、以下の各効果を発揮できる。
（２）パネル３は、上枠１０、下枠２０、無目３０、左右の縦枠４０，５０および方立６０に固定され、上枠１０、下枠２０、無目３０、左右の縦枠４０，５０および方立６０は、パネル３の室外面に対向して配置される室外対向片部１５２，２７，３５２，３７，４７，７５，８５を有し、上枠１０、下枠２０、無目３０、左右の縦枠４０，５０および方立６０の室外見付け片部１１，２１，３１，４１は、窓枠２の見込み方向において室外対向片部１５２，２７，３５２，３７，４７，７５，８５よりも室内側に後退した位置に配置される。
このため、上枠１０、下枠２０、無目３０、左右の縦枠４０，５０および方立６０にパネル３が嵌め殺しされる固定窓１を構成できる。そのうえ、上枠１０、下枠２０および左右の縦枠４０，５０のうち室外対向片部１５２，２７，４７よりも室内側に後退した位置に配置される室外見付け片部１１，２１，４１に沿ってシール材５を設けることで、固定窓１のうち室外対向片部１５２，２７，３５２，３７，４７，７５，８５よりも室内側に後退して位置する後退部分とシール材５との間に隙間が形成されることを抑制でき、止水性を向上できる。
（３）上枠１０、下枠２０、無目３０、左右の縦枠４０，５０および方立６０の室外対向片部１５２，２７，３５２，３７，４７，７５，８５は互いに同じ見付け寸法とされる。このため、上枠１０、下枠２０、無目３０、左右の縦枠４０，５０および方立６０の室外対向片部１５２，２７，３５２，３７，４７，７５，８５の室外見付け寸法を揃えて外観意匠を統一できる。
【００４６】
［第２実施形態の構成］
以下、第２実施形態を図面に基づいて説明する。
図５〜７において、第２実施形態に係る建具である可動窓１Ａは、ＲＣ造りの建物の外壁に取り付けられている。固定窓１は、上枠１０Ａと、下枠２０と、無目３０Ａと、左右の縦枠４０Ａ，５０Ａと、方立６０Ａとによって構成される窓枠２Ａと、窓枠２Ａ内に配置されたパネル３（３Ｃ，３Ｄ）およびパネル４（４Ａ，４Ｂ）とを備えている。
【００４７】
図６，７において方立６０Ａよりも右側における窓枠２Ａの開口にはパネル４Ａ，３Ｃが配置されている。図６，７において方立６０Ａよりも左側における窓枠２Ａの開口にはパネル４Ｂ，３Ｄが配置されている。パネル４Ａは、上枠１０Ａ，無目３０Ａ、方立６０Ａおよび図６，７において右側に示す縦枠４０Ａに形成される枠内に配置されている。パネル４Ｂは、上枠１０Ａ，無目３０Ａ、方立６０Ａおよび図６，７において左側に示す縦枠５０Ａに形成される枠内に配置されている。なお、パネル３Ｃ，３Ｄは前述した第１実施形態と同様に配置されている。
【００４８】
上枠１０Ａは、図５に示すように、室外見付け片部１１Ａと、見込み片部１２Ａと、室内見付け片部１４Ａとを有している。室外見付け片部１１Ａの下端部は、見込み片部１２Ａに連続している。室内見付け片部１４Ａの上下端部間の中間部は、見込み片部１２Ａに連続している。見込み片部１２Ａには、上框９１に装着された気密材が当接する段部１２１が形成されている。室内見付け片部１４Ａには、上框９１に当接する気密材が装着されている。
【００４９】
無目３０Ａは、図５に示すように、室内見付け片部３４Ａと、二つの見込み片部３９Ａと、パネル保持用の溝形成部３５Ａとを有している。室内見付け片部３４Ａは二つの見込み片部３９Ａに連続しており、二つの見込み片部３９Ａは溝形成部３５Ａの室内対向片部３５３Ａに連続している。二つの見込み片部３９Ａ間には、室内見付け片部３４Ａおよび室内対向片部３５３Ａに連続している連続片部が設けられている。室内見付け片部３４Ａには、下框９２に当接する気密材が装着されている。
【００５０】
溝形成部３５Ａは、溝底片部３５１Ａと、溝底片部３５１Ａの室外端部に連続している室外対向片部３５２Ａ（対向片部）と、溝底片部３５１Ａの室内端部に連続している室内対向片部３５３Ａとを有している。
溝底片部３５１Ａは、無目３０Ａの見込み方向に沿って配置されている。室外対向片部３５２Ａおよび室内対向片部３５３Ａは、無目３０Ａの見付け方向に沿って配置されている。
室外対向片部３５２Ａは、パネル３（３Ｃ，３Ｄ）の上縁部における室外面に対向して配置されている。室外対向片部３５２Ａには、パネル３の室外面に当接するバックアップ材およびシール材が設けられている。室内対向片部３５３Ａは、パネル３（３Ｃ，３Ｄ）の上縁部における室内面に対向して配置されている。室内対向片部３５３Ａには、パネル３の室内面に当接するバックアップ材およびシール材が設けられている。
【００５１】
縦枠４０Ａは、図６，７に示す縦枠本体４０１と、図７に示すパネル保持体４０２とを備えている。縦枠本体４０１は、室外見付け片部４１Ａと、見込み片部４２Ａと、室内見付け片部４３Ａとを有している。室外見付け片部４１Ａは、見込み片部４２Ａに連続しており、当該見込み片部４２Ａから縦枠４０Ａの見付け方向外側に突出している。見込み片部４２Ａは、室内見付け片部４３Ａの左右端部間の中間部分に連続している。室内見付け片部４３Ａには、縦框９３が当接する気密材が装着されている。
【００５２】
パネル保持体４０２は、無目３０Ａおよび下枠２０間に上下方向に沿って配置されている。パネル保持体４０２は、図７に示すように、縦枠本体４０１の見込み片部４２Ａに取り付けられる見込み片部４４Ａと、見込み片部４４Ａの室外側部分に形成された係合溝形成部４６Ａと、見込み片部４４Ａの室内側部分に形成された対向部４８Ａとを有している。
【００５３】
係合溝形成部４６Ａは、縦枠４０Ａの見込み方向においてパネル３Ｃ側に突出した二つの突部によって形成されている。この係合溝形成部４６Ａには押縁６が係合しており、この係合溝形成部４６Ａおよび押縁６によってパネル３Ｃの室外面に対向して位置する室外対向片部４７Ａ（対向片部）を構成している。押縁６は、パネル３Ｃの縦縁部における室外面に対向して配置されている。押縁６には、パネル３の室外面に当接するバックアップ材およびシール材が設けられている。
【００５４】
対向部４８Ａは、断面略コ字形状に形成されており、パネル３Ｃの室内面側の室内対向片部４８１Ａには、パネル３Ｃの縦縁部における室内面に当接するバックアップ材およびシール材が設けられている。
【００５５】
室外見付け片部４１Ａは、縦枠４０Ａの見込み方向において室外対向片部４７Ａよりも室内側に後退した位置に配置（セットバック）されている。室外対向片部４７Ａの室外面から室外見付け片部４１Ａの室外面までの見込み寸法は前述した見込み寸法Ｈ１とされている。
【００５６】
縦枠５０Ａは、図６，７に示すように、前述した縦枠４０Ａと同様に形成されて左右逆向きに配置されているので、図に適宜同符号を付す。なお、縦枠５０Ａは、パネル３Ｄの縦縁部を保持している。
【００５７】
方立６０Ａは、図６，７に示すように、第一方立部材７０Ａおよび第二方立部材８０Ａが組み合わされた分割方立によって構成されている。
第一方立部材７０Ａは、図６，７に示す第一方立本体７０１と、図７に示すパネル保持体７０２とを備えている。第一方立本体７０１は、見込み片部７１Ａと、見込み片部７１Ａに連続している室内見付け片部７３Ａと、見込み片部７１Ａから縦枠５０Ａ側に延出している係合片部７４１Ｂとを有している。室内見付け片部７３Ａは、方立６０Ａの見付け方向において第二方立部材８０Ａ側に突出している。
【００５８】
また、見込み片部７１には、方立６０Ａの見付け方向において第二方立部材８０Ａ側に突出した係合部７６，７７，７８Ａ，７８Ｂが形成されており、室外側から室内側に向かって係合部７６，７７，７８Ａ，７８Ｂの順に配置されている。第一方立本体７０１の係合部７６は、先端が第二方立部材８０Ａに当接する室外見付け片部７６１を有している。係合部７７は、取付ねじによって隣接する第二方立部材８０Ａに取り付けられる。
【００５９】
パネル保持体７０２は、無目３０Ａおよび下枠２０間に上下方向に沿って配置されている。パネル保持体７０２は、図７に示すように、第一方立本体７０１の見込み片部７１Ａに取り付けられる見込み片部７９Ａと、見込み片部７９Ａの室外側部分に形成された係合溝形成部７２Ａと、見込み片部７９Ａの室内側部分に形成された対向部７４Ａとを有している。
【００６０】
係合溝形成部７２Ａは、方立６０Ａの見込み方向においてパネル３Ｄ側に突出した二つの突部によって形成されている。この係合溝形成部７２Ａには押縁６が係合しており、この係合溝形成部７２Ａおよび押縁６によってパネル３Ｄの室外面に対向して位置する室外対向片部７５Ａ（対向片部）を構成している。押縁６は、パネル３Ｄの縦縁部における室外面に対向して配置されている。押縁６には、パネル３の室外面に当接するバックアップ材およびシール材が設けられている。
【００６１】
対向部７４Ａは、断面略コ字形状に形成されており、係合片部７４１Ｂに係合している。パネル３Ｄの室内面側の室内対向片部７４１Ａには、パネル３Ｄの縦縁部における室内面に当接するバックアップ材およびシール材が設けられている。
【００６２】
第二方立部材８０Ａは、図６，７に示す第二方立本体８０１と、図７に示すパネル保持体８０２とを備えている。第二方立本体８０１は、見込み片部８１Ａと、見込み片部８１Ａから縦枠４０Ａ側に延出している係合片部８４１Ｂとを有している。
【００６３】
見込み片部８１Ａには、方立６０Ａの見付け方向において第一方立部材７０Ａ側に突出した係合部８６，８７，８８Ａ，８８Ｂが形成されており、室外側から室内側に向かって係合部８６，８７，８８Ａ，８８Ｂの順に配置されている。係合部８６，８７，８８Ａ，８８Ｂは、隣接する第一方立部材７０Ａの係合部７６，７７，７８Ａ，７８Ｂにそれぞれ係合する。
【００６４】
パネル保持体８０２は、無目３０Ａおよび下枠２０間に上下方向に沿って配置されている。パネル保持体８０２は、図７に示すように、第二方立本体８０１の見込み片部８１Ａに取り付けられる見込み片部８９Ａと、見込み片部８９Ａの室外側部分に形成された係合溝形成部８２Ａと、見込み片部８９Ａの室内側部分に形成された対向部８４Ａとを有している。
【００６５】
係合溝形成部８２Ａは、方立６０Ａの見込み方向においてパネル３Ｃ側に突出した二つの突部によって形成されている。この係合溝形成部８２Ａには押縁６が係合しており、この係合溝形成部８２Ａおよび押縁６によってパネル３Ｃの室外面に対向して位置する室外対向片部８５Ａ（対向片部）を構成している。押縁６は、パネル３Ｄの縦縁部における室外面に対向して配置されている。押縁６には、パネル３の室外面に当接するバックアップ材およびシール材が設けられている。
【００６６】
対向部８４Ａは、断面略コ字形状に形成されており、係合片部８４１Ｂに係合している。パネル３Ｃの室内面側の室内対向片部８４１Ａには、パネル３Ｃの縦縁部における室内面に当接するバックアップ材およびシール材が設けられている。
【００６７】
第一方立本体７０１の室外見付け片部７６１は、方立６０Ａの見込み方向において室外対向片部７５Ａ，８５Ａよりも室内側に後退した位置に配置（セットバック）されている。室外対向片部７５Ａ，８５Ａの室外面から室外見付け片部７６１の室外面までの見込み寸法は前述した見込み寸法Ｈ１とされている。
【００６８】
パネル４Ａは、図５，６に示すように、上框９１、下框９２、左右の縦框９３，９４および面材９５を框組みして構成されている。面材９５は、複層のガラスパネルによって構成されている。
【００６９】
上框９１は、パネル保持用の溝形成部９１１と、溝形成部９１１から室内側に延出した見込み片部９１５とを有している。溝形成部９１１は、断面略コ字形状に形成されている。溝形成部９１１は、上框９１の見込み方向に沿った溝底片部９１２と、溝底片部９１２の室外端部から垂下した室外対向片部９１３（対向片部）と、溝底片部９１２の室内端部から垂下した室内対向片部９１４とを有している。見込み片部９１５は、室内対向片部９１４に連続している。溝形成部９１１には、パネル４Ａの閉鎖状態で上枠１０Ａの段部１２１に当接する気密材が装着されている。
室外対向片部９１３は、面材９５の上縁部における室外面に対向して配置されている。室外対向片部９１３には、面材９５の室外面に当接するバックアップ材およびシール材が設けられている。室内対向片部９１４は、面材９５の上縁部における室内面に対向して配置されている。室内対向片部９１４には、面材９５の室内面に当接するバックアップ材およびシール材が設けられている。
【００７０】
下框９２は、パネル保持用の溝形成部９２１と、溝形成部９２１から室内側に延出した見込み片部９２５とを有している。溝形成部９２１は、断面略コ字形状に形成されている。溝形成部９２１は、下框９２の見込み方向に沿った溝底片部９２２と、溝底片部９２２の室外端部から立ち上げられた室外対向片部９２３（対向片部）と、溝底片部９２２の室内端部から立ち上げられた室内対向片部９２４とを有している。室外対向片部９２３は、溝底片部９２２に係合した押縁によって構成されている。見込み片部９２５は、室内対向片部９２４に連続している。
室外対向片部９２３は、面材９５の下縁部における室外面に対向して配置されている。室外対向片部９２３には、面材９５の室外面に当接するバックアップ材およびシール材が設けられている。室内対向片部９２４は、面材９５の下縁部における室内面に対向して配置されている。室内対向片部９２４には、面材９５の室内面に当接するバックアップ材およびシール材が設けられている。
この下框９２には、ヒンジ８を介して無目３０Ａに回動可能に連結されている。このため、パネル４Ａはヒンジ８のまわりで開閉移動可能となっている。
【００７１】
図６において右側に示す縦框９３は、パネル保持用の溝形成部９３１と、溝形成部９３１から室内側に延出した見込み片部９３５とを有している。溝形成部９３１は、断面略コ字形状に形成されている。溝形成部９３１は、縦框９３の見込み方向に沿った溝底片部９３２と、溝底片部９３２の室外端部からパネル４Ａ側（縦框９３の見付け方向内側）に沿って配置された室外対向片部９３３（対向片部）と、溝底片部９３２の室内端部からパネル４Ａ側（縦框９３の見付け方向内側）に沿って配置された室内対向片部９３４とを有している。室外対向片部９３３は、溝底片部９３２に係合した押縁によって構成されている。見込み片部９３５は、室内対向片部９３４に連続している。溝形成部９３１には、パネル４Ａの閉鎖状態で縦枠４０Ａの見込み片部４２Ａに当接する気密材が装着されている。
室外対向片部９３３は、面材９５の縦縁部における室外面に対向して配置されている。室外対向片部９３３には、面材９５の室外面に当接するバックアップ材およびシール材が設けられている。室内対向片部９３４は、面材９５の縦縁部における室内面に対向して配置されている。室内対向片部９３４には、面材９５の室内面に当接するバックアップ材およびシール材が設けられている。
【００７２】
縦框９４は、図６に示すように、前述した縦框９３と同様に形成されて左右逆向きに配置されているので、図に適宜同符号を付す。なお、縦框９４は、パネル４Ａの縦縁部を保持している。
上框９１、下框９２および左右の縦框９３，９４の室外対向片部９１３，９２３および９３３の室外面は、下枠２０、無目３０Ａ、縦枠４０Ａ，５０Ａ、方立６０Ａの室外対向片部２７，３５２Ａ，４７Ａ，７５Ａ，８５Ａの室外面に沿って位置して可動窓１Ａの室外面（仮想面）を構成している。
【００７３】
上枠１０Ａ、下枠２０および縦枠４０Ａ，５０Ａの室外見付け片部１１Ａ，２１，４１Ａは、窓枠２Ａの外周側に配置されている。上枠１０Ａの室外見付け片部１１Ａは、見込み片部１２Ａから上方に突出し、上框９１の室外対向片部９１３よりも上枠１０Ａの見付け方向外側（上側）に位置している。下枠２０の室外見付け片部２１は、見込み片部２２から下方に突出し、室外対向片部２７よりも下枠２０の見付け方向外側（下側）に位置している。縦枠４０Ａの室外見付け片部４１Ａは、図６において見込み片部４２Ａから右側に突出し、縦框９３の室外対向片部９３３よりも縦枠４０Ａの見付け方向外側（右側）に位置している。縦枠５０Ａの室外見付け片部４１Ａは、図６において見込み片部４２Ａから左側に突出し、縦框９４の室外対向片部９３３よりも縦枠５０Ａの見付け方向外側（左側）に位置している。
上枠１０Ａ、下枠２０、縦枠４０Ａ，５０Ａおよび方立６０Ａの室外見付け片部１１Ａ，２１，４１Ａ，７６１は、上框９１、下框９２および左右の縦框９３，９４の室外対向片部９１３，９２３および９３３よりも見込み寸法Ｈ１だけ室内側に後退して面一に配置（セットバック）されている。
【００７４】
上框９１、下框９２および左右の縦框９３，９４の室外対向片部９１３，９２３，９３３は互いに同じ見付け寸法とされている。
また、上枠１０Ａおよび上框９１によって構成される室外見付け部の室外見付け寸法と、無目３０Ａおよび下框９２によって構成される室外見付け部の室外見付け寸法と、縦枠４０Ａおよび縦框９３によって構成される室外見付け部の室外見付け寸法と、縦枠５０Ａおよび縦框９４によって構成される室外見付け部の室外見付け寸法とは、互いに同じ寸法とされる。
【００７５】
パネル４Ｂは、図６に示すように、パネル４Ａと同様に構成されているので、図に適宜同符号を付す。
【００７６】
以上の可動窓１Ａでは、無目３０Ａよりも上方に位置するパネル４Ａ，４Ｂが開閉可能な可動パネルとして構成され、無目３０Ａよりも下方に位置するパネル３Ｃ，３Ｄは、窓枠２に嵌め殺しされた固定パネルとして構成される。
また、可動窓１Ａでは、上枠１０Ａ、下枠２０および縦枠４０Ａ，５０Ａの室外見付け片部１１Ａ，２１，４１Ａに沿ってシール材５が四周連続して設けられる。このため、シール材５は、室外見付け片部１１Ａ，２１，４１Ａよりも室外側に張り出した部分である各室外対向片部９１３，２７，４７Ａ，９３３の周囲にセットバックされて位置するので、固定窓１の室外面よりも室内側にセットバックされた方立６０の室外見付け片部７６１などの後退部分とシール材５との間に隙間が形成されることがない。
【００７７】
［第２実施形態の効果］
第２実施形態に係る可動窓１Ａによれば、前述した第１実施形態における効果のほか、以下の効果を発揮できる。
（１）パネル４は、上框９１、下框９２、左右の縦框９３，９４および面材９５を框組みして構成されているとともに、窓枠２Ａに開閉可能に取り付けられ、上枠１０Ａ、下枠２０、左右の縦枠４０Ａ，５０Ａおよび方立６０Ａの室外見付け片部１１Ａ，２１，４１Ａ，７６１は、窓枠２Ａの見込み方向において上框９１、下框９２および左右の縦框９３，９４の室外面よりも室内側に後退した位置に配置される。
このため、パネル４を上框９１、下框９２、左右の縦框９３，９４および面材９５を框組みして構成することで障子として構成でき、パネル４が窓枠２Ａに開閉可能に取り付けられることで可動窓１Ａを構成できる。そのうえ、上框９１、下框９２および左右の縦框９３，９４の室外面よりも室内側に後退した位置に配置される上枠１０Ａ、下枠２０および左右の縦枠４０Ａ，５０Ａの室外見付け片部１１Ａ，２１，４１Ａに沿ってシール材５を設けることで、上框９１、下框９２および左右の縦框９３，９４の室外面よりも室内側に後退して位置する後退部分とシール材５との間に隙間が形成されることを抑制でき、止水性を向上できる。
（２）上框９１、下框９２および左右の縦框９３，９４の室外見付け寸法は互いに同じ寸法とされる。このため、上框９１、下框９２および左右の縦框９３，９４の室外見付け寸法を揃えて外観意匠を統一できる。
【００７８】
［変形例］
本発明は、以上の実施形態で説明した構成のものに限定されず、本発明の目的を達成できる範囲での変形例は、本発明に含まれる。
例えば、第１実施形態では、上枠１０および左右の縦枠４０，５０の室外見付け寸法は互いに同じ寸法とされているが、異なる見付け寸法とされてもよい。また、上枠１０、下枠２０、無目３０、縦枠４０，５０および方立６０の室外対向片部１５２，２７，３５２，３７，４７，７５，８５は互いに同じ見付け寸法とされているが、異なる見付け寸法とされてもよい。
第２実施形態では、上枠１０Ａおよび上框９１によって構成される室外見付け部の室外見付け寸法と、左右の縦枠４０Ａ，５０Ａおよび左右の縦框９３，９４によってそれぞれ構成される室外見付け部の室外見付け寸法とは、互いに同じ寸法とされるが、異なる見付け寸法とされてもよい。また、上框９１、下框９２および左右の縦框９３，９４の室外対向片部９１３，９２３，９３３は互いに同じ見付け寸法とされているが、異なる見付け寸法とされてもよい。
【００７９】
前記実施形態では、下枠２０に幅木カバー７が取り付けられているが、この幅木カバー７の構成を省略してもよい。
【００８０】
前記実施形態では、窓枠２，２Ａは無目３０，３０Ａおよび方立６０，６０Ａを備えているが、無目３０，３０Ａおよび方立６０，６０Ａのいずれか一方の構成を省略してもよい。無目３０，３０Ａの構成を省略した固定窓１の場合には、窓枠２内に二枚のパネル３（固定パネル）を方立６０に対して左右に位置する開口に配置した固定連窓となる。無目３０，３０Ａの構成を省略した可動窓１Ａの場合には、窓枠２Ａ内に二枚のパネル４（可動パネル）を方立６０Ａの左右に位置する開口に配置した可動連窓となる。また、可動窓１Ａでは、方立６０Ａの左右に位置する開口のうちの一方にパネル４（可動パネル）ではなくパネル３（固定パネル）が固定されてもよい。
【符号の説明】
【００８１】
１…固定窓（建具）、１Ａ…可動窓（建具）、２，２Ａ…窓枠、３（３Ａ〜３Ｄ），４（４Ａ，４Ｂ）…パネル、５…シール材、６…押縁、７…幅木カバー、８…ヒンジ、１０，１０Ａ…上枠、２０…下枠、３０，３０Ａ…無目、４０，４０Ａ，５０，５０Ａ…縦枠、６０，６０Ａ…方立、１１，１１Ａ，２１，３１，４１，４１Ａ，７６１…室外見付け片部、１２，１２Ａ，１３，２２，２３，３２，３３，３９Ａ，４２，４２Ａ，４４Ａ，７１，７１Ａ，７９Ａ，８１，８１Ａ，８９Ａ，９１５，９２５，９３５…見込み片部、１２１…段部、１４，１４Ａ，２４，３４，３４Ａ，４３，４３Ａ，７３，７３Ａ…室内見付け片部、１５，３５，３５Ａ，９１１，９２１，９３１…溝形成部、１５１，３５１，３５１Ａ，９１２，９２２，９３２…溝底片部、２７，３７，４７，４７Ａ，７５，７５Ａ，１５２，３５２，３５２Ａ，８５，８５Ａ，９１３，９２３，９３３…室外対向片部、２８，３８，１５３，３５３，３５３Ａ，４８１，４８１Ａ，７４１，７４１Ａ，８４１，８４１Ａ，９１４，９２４，９３４…室内対向片部、２５…連続片部、２６，３６，４６，４６Ａ，７２，７２Ａ，８２，８２Ａ…係合溝形成部、４０１…縦枠本体、４０２，７０２，８０２…パネル保持体、４８，４８Ａ，７４，７４Ａ，８４，８４Ａ…対向部、７０，７０Ａ…第一方立部材、７０１…第一方立本体、７４１Ｂ，８４１Ｂ…係合片部、７６，７７，７８Ａ，７８Ｂ，８６，８７，８８Ａ，８８Ｂ…係合部、８０，８０Ａ…第二方立部材、８０１…第二方立本体、９１…上框、９２…下框、９３，９４…縦框、９５…面材、Ｈ１…見込み寸法。
【図１】
2017193834.tif 000003
【図２】
2017193834.tif 000004
【図３】
2017193834.tif 000005
【図４】
2017193834.tif 000006
【図５】
2017193834.tif 000007
【図６】
2017193834.tif 000008
【図７】
2017193834.tif 000009